(57)【要約】  【課題】建物に設置されたセンサのセンサ情報を容易に変更することができる。  【解決手段】広域管理装置２１のセンサ情報記憶部は、所定の属性に基づいてグループ化された、建物Ｂ１，Ｂ２のセンサ３２ａ，４２ａのセンサ情報を記憶し、送信部は、記憶されたセンサ情報を、建物Ｂ１，Ｂ２に対応して設けられた建物管理装置３１，４１へ送信する。建物管理装置３１，４１の受信部は、広域管理装置２１からセンサ情報を受信し、センサ情報記憶部は、受信されたセンサ情報を記憶する。建物管理装置３１，４１の取得部は、記憶されたセンサ情報に基づいて、センサ３２ａ，４２ａからデータを取得する。【選択図】図１
2015119279.tif 000002
【特許請求の範囲】
【請求項１】
広域管理装置と、
センサが設置された建物に対応して設けられた建物管理装置と、
を備え、
前記広域管理装置は、
所定の属性に基づいてグループ化された前記センサのセンサ情報を記憶した第１のセンサ情報記憶部と、
前記第１のセンサ情報記憶部に記憶されている前記センサ情報を前記建物管理装置へ送信する送信部と、
を有し、
前記建物管理装置は、
前記送信部から送信される前記センサ情報を受信する受信部と、
前記受信部によって受信された前記センサ情報を記憶する第２のセンサ情報記憶部と、
前記第２のセンサ情報記憶部に記憶された前記センサ情報に基づいて、前記センサからデータを取得する取得部と、
を有することを特徴とする広域管理システム。
【請求項２】
請求項１に記載の広域管理システムであって、
前記第１のセンサ情報記憶部に記憶された前記センサ情報は、グループ単位で変更されることを特徴とする広域管理システム。
【請求項３】
請求項１または２に記載の広域管理システムであって、
前記取得部は、グループごとにおいて前記センサからデータを取得することを特徴とする広域管理システム。
【請求項４】
請求項１〜３のいずれか一項に記載の広域管理システムであって、
前記センサ情報には、グループごとにおいて前記センサからデータを取得する頻度を示した取得頻度情報が含まれており、
前記取得部は、前記取得情報頻度に基づいて、グループごとに前記センサからデータを取得することを特徴とする広域管理システム。
【請求項５】
請求項１〜４のいずれか一項に記載の広域管理システムであって、
前記センサ情報には、グループごとにおける前記センサのデータを取得する優先度を示した優先度情報が含まれており、
前記取得部は、前記優先度情報に基づいて、グループごとに前記センサのデータを取得することを特徴とする広域管理システム。
【請求項６】
請求項１〜５のいずれか一項に記載の広域管理システムであって、
前記センサ情報には、前記センサのグループに対応して、他のグループの前記センサからデータを取得するように指示した関連グループ情報が含まれており、
前記取得部は、前記関連グループ情報に基づいて、他のグループの前記センサからデータを取得することを特徴とする広域管理システム。
【請求項７】
請求項１〜６のいずれか一項に記載の広域管理システムであって、
前記センサ情報には、他のグループの前記センサからデータを取得するセンサ条件が含まれており、
前記取得部は、前記センサ条件に基づいて、他のグループの前記センサからデータを取得することを特徴とする広域管理システム。
【請求項８】
請求項１〜７のいずれか一項に記載の広域管理システムであって、
前記センサ情報には、前記建物に複数導入されているビル環境エネルギ管理システムの情報が含まれており、
前記取得部は、異なる前記ビル環境エネルギ管理システムに属する他のグループの前記センサからデータを取得することを特徴とする広域管理システム。
【請求項９】
建物に設置されたセンサであって、所定の属性に基づいてグループ化された前記センサのセンサ情報を記憶したセンサ情報記憶部と、
前記センサ情報記憶部に記憶されている前記センサ情報を前記建物に設置された建物管理装置へ送信する送信部と、
を有することを特徴とする広域管理装置。
【請求項１０】
建物で消費される電力を管理する広域管理装置から、前記建物に設置されたセンサであって、所定の属性に基づいてグループ化された前記センサのセンサ情報を受信する受信部と、
前記受信部によって受信された前記センサ情報を記憶するセンサ情報記憶部と、
前記センサ情報記憶部に記憶された前記センサ情報に基づいて、前記センサからデータを取得する取得部と、
を有することを特徴とする建物管理装置。
【請求項１１】
広域管理装置と、センサが設置された建物に対応して設けられた建物管理装置とを備えた広域管理システムの広域管理方法であって、
前記広域管理装置は、
所定の属性に基づいてグループ化された前記センサのセンサ情報を記憶する第１のセンサ情報記憶ステップと、
前記第１のセンサ情報記憶ステップで記憶された前記センサ情報を前記建物管理装置へ送信する送信ステップと、
を有し、
前記建物管理装置は、
前記送信ステップから送信される前記センサ情報を受信する受信ステップと、
前記受信ステップによって受信された前記センサ情報を記憶する第２のセンサ情報記憶ステップと、
前記第２のセンサ情報記憶ステップで記憶された前記センサ情報に基づいて、前記センサからデータを取得する取得ステップと、
を有することを特徴とする広域管理方法。
【請求項１２】
広域管理装置のセンサ情報送信方法であって、
建物に設置されたセンサであって、所定の属性に基づいてグループ化された前記センサのセンサ情報を記憶するセンサ情報記憶ステップと、
前記センサ情報記憶ステップで記憶された前記センサ情報を前記建物に設置された建物管理装置へ送信する送信ステップと、
を有することを特徴とするセンサ情報送信方法。
【請求項１３】
建物管理装置のデータ取得方法であって、
建物で消費される電力を管理する広域管理装置から、前記建物に設置されたセンサであって、所定の属性に基づいてグループ化された前記センサのセンサ情報を受信する受信ステップと、
前記受信ステップによって受信された前記センサ情報を記憶するセンサ情報記憶ステップと、
前記センサ情報記憶ステップで記憶された前記センサ情報に基づいて、前記センサからデータを取得する取得ステップと、
を有することを特徴とするデータ取得方法。
【請求項１４】
広域管理装置のプログラムであって、
建物に設置されたセンサであって、所定の属性に基づいてグループ化された前記センサのセンサ情報を記憶したセンサ情報記憶部と、
前記センサ情報記憶部に記憶されている前記センサ情報を前記建物に設置された建物管理装置へ送信する送信部と、
して前記広域管理装置を機能させることを特徴とするプログラム。
【請求項１５】
建物管理装置のプログラムであって、
建物で消費される電力を管理する広域管理装置から、前記建物に設置されたセンサであって、所定の属性に基づいてグループ化された前記センサのセンサ情報を受信する受信部と、
前記受信部によって受信された前記センサ情報を記憶するセンサ情報記憶部と、
前記センサ情報記憶部に記憶された前記センサ情報に基づいて、前記センサからデータを取得する取得部と、
して前記建物管理装置を機能させることを特徴とするプログラム。
【発明の詳細な説明】
【技術分野】
【０００１】
本発明は、広域管理システム、広域管理装置、建物管理装置、広域管理方法、センサ情報送信方法、データ取得方法、およびプログラムに関するものである。
【背景技術】
【０００２】
従来から、ビル、病院、学校や工場などの建物には、設備機器を管理する管理装置が存在しており、また、複数の建物における設備機器の情報を、通信ネットワークを介して遠隔の場所からモニタリングするシステムが存在している。
【０００３】
また、従来、インターネットなどの通信回線を介して地理的に離れた場所の各種設備の状態を管理するリモート管理システムが提供されている（例えば、特許文献１参照）。
【先行技術文献】
【特許文献】
【０００４】
【特許文献１】国際公開番号ＷＯ０１／０６９３３８
【発明の概要】
【発明が解決しようとする課題】
【０００５】
ところで、ビル等の建物には、当該建物を管理するために、例えば、温度センサや電流センサなど、数千点のセンサが設けられている。そのため、管理装置において、例えば、センサからデータを取得する取得頻度等のセンサ情報を変更するとなると、非常に手間を要するという問題がある。
【０００６】
例えば、管理装置には、ビルに設置されている全ての温度センサに対し、１分ごとに温度情報を取得するように取得頻度が記憶されているとする。また、管理装置には、ビルに設置されている全ての電流センサに対し、３０秒ごとに電流情報を取得するように取得頻度が記憶されているとする。ここで、ビルに設置されている温度センサと電流センサのうち、温度センサの取得頻度だけを変更したいとする。ビルの温度センサの数が数百点ある場合、従来の管理装置では、温度センサの１つ１つにおいて、取得頻度を変更しなければならず、非常に手間がかかる。
【０００７】
そこで本発明は、建物に設置されたセンサのセンサ情報を容易に変更することができる技術を提供することを目的とする。
【課題を解決するための手段】
【０００８】
本願は、上記課題の少なくとも一部を解決する手段を複数含んでいるが、その例を挙げるならば、以下の通りである。上記課題を解決すべく、本発明に係る広域管理システムは、広域管理装置と、センサが設置された建物に対応して設けられた建物管理装置と、を備え、前記広域管理装置は、所定の属性に基づいてグループ化された前記センサのセンサ情報を記憶した第１のセンサ情報記憶部と、前記第１のセンサ情報記憶部に記憶されている前記センサ情報を前記建物管理装置へ送信する送信部と、を有し、前記建物管理装置は、前記送信部から送信される前記センサ情報を受信する受信部と、前記受信部によって受信された前記センサ情報を記憶する第２のセンサ情報記憶部と、前記第２のセンサ情報記憶部に記憶された前記センサ情報に基づいて、前記センサからデータを取得する取得部と、を有することを特徴とする広域管理システムを有することを特徴とする。
【０００９】
また、上記の前記第１のセンサ情報記憶部に記憶された前記センサ情報は、グループ単位で変更されることを特徴とするものであってもよい。
【００１０】
また、上記の前記取得部は、グループごとにおいて前記センサからデータを取得することを特徴とするものであってもよい。
【００１１】
また、上記の前記センサ情報には、グループごとにおいて前記センサからデータを取得する頻度を示した取得頻度情報が含まれており、前記取得部は、前記取得情報頻度に基づいて、グループごとに前記センサからデータを取得することを特徴とするものであってもよい。
【００１２】
また、上記の前記センサ情報には、グループごとにおける前記センサのデータを取得する優先度を示した優先度情報が含まれており、前記取得部は、前記優先度情報に基づいて、グループごとに前記センサのデータを取得することを特徴とするものであってもよい。
【００１３】
また、上記前記センサ情報には、前記センサのグループに対応して、他のグループの前記センサからデータを取得するように指示した関連グループ情報が含まれており、前記取得部は、前記関連グループ情報に基づいて、他のグループの前記センサからデータを取得することを特徴とするものであってもよい。
【００１４】
また、上記の前記センサ情報には、他のグループの前記センサからデータを取得するセンサ条件が含まれており、前記取得部は、前記センサ条件に基づいて、他のグループの前記センサからデータを取得することを特徴とするものであってもよい。
【００１５】
また、上記の前記センサ情報には、前記建物に複数導入されているビル環境エネルギ管理システムの情報が含まれており、前記取得部は、異なる前記ビル環境エネルギ管理システムに属する他のグループの前記センサからデータを取得することを特徴とするものであってもよい。
【００１６】
また、本発明に係る広域管理装置は、建物に設置されたセンサであって、所定の属性に基づいてグループ化された前記センサのセンサ情報を記憶したセンサ情報記憶部と、前記センサ情報記憶部に記憶されている前記センサ情報を前記建物に設置された建物管理装置へ送信する送信部と、を含むことを特徴とする。
【００１７】
また、本発明に係る建物管理装置は、建物で消費される電力を管理する広域管理装置から、前記建物に設置されたセンサであって、所定の属性に基づいてグループ化された前記センサのセンサ情報を受信する受信部と、前記受信部によって受信された前記センサ情報を記憶するセンサ情報記憶部と、前記センサ情報記憶部に記憶された前記センサ情報に基づいて、前記センサからデータを取得する取得部と、を含むことを特徴とする。
【００１８】
また、本発明に係る広域管理装置と、センサが設置された建物に対応して設けられた建物管理装置とを備えた広域管理システムの広域管理方法は、前記広域管理装置は、所定の属性に基づいてグループ化された前記センサのセンサ情報を記憶する第１のセンサ情報記憶ステップと、前記第１のセンサ情報記憶ステップで記憶された前記センサ情報を前記建物管理装置へ送信する送信ステップと、を有し、前記建物管理装置は、前記送信ステップから送信される前記センサ情報を受信する受信ステップと、前記受信ステップによって受信された前記センサ情報を記憶する第２のセンサ情報記憶ステップと、前記第２のセンサ情報記憶ステップで記憶された前記センサ情報に基づいて、前記センサからデータを取得する取得ステップと、を含むことを特徴とする。
【００１９】
また、本発明に係る広域管理装置のセンサ情報送信方法は、建物に設置されたセンサであって、所定の属性に基づいてグループ化された前記センサのセンサ情報を記憶するセンサ情報記憶ステップと、前記センサ情報記憶ステップで記憶された前記センサ情報を前記建物に設置された建物管理装置へ送信する送信ステップと、を含むことを特徴とする。
【００２０】
また、本発明に係る建物管理装置のデータ取得方法は、建物で消費される電力を管理する広域管理装置から、前記建物に設置されたセンサであって、所定の属性に基づいてグループ化された前記センサのセンサ情報を受信する受信ステップと、前記受信ステップによって受信された前記センサ情報を記憶するセンサ情報記憶ステップと、前記センサ情報記憶ステップで記憶された前記センサ情報に基づいて、前記センサからデータを取得する取得ステップと、を含むことを特徴とする。
【００２１】
また、本発明に係る広域管理装置のプログラムは、建物に設置されたセンサであって、所定の属性に基づいてグループ化された前記センサのセンサ情報を記憶したセンサ情報記憶部と、前記センサ情報記憶部に記憶されている前記センサ情報を前記建物に設置された建物管理装置へ送信する送信部と、を含むことを特徴とする。
【００２２】
また、本発明に係る建物管理装置のプログラムは、建物で消費される電力を管理する広域管理装置から、前記建物に設置されたセンサであって、所定の属性に基づいてグループ化された前記センサのセンサ情報を受信する受信部と、前記受信部によって受信された前記センサ情報を記憶するセンサ情報記憶部と、前記センサ情報記憶部に記憶された前記センサ情報に基づいて、前記センサからデータを取得する取得部と、を含むことを特徴とする。
【発明の効果】
【００２３】
本発明によれば、建物に設置されたセンサのセンサ情報を容易に変更することができる。
【００２４】
上記した以外の課題、構成、および効果は、以下の実施形態の説明により明らかにされる。
【図面の簡単な説明】
【００２５】
【図１】本発明の第１の実施の形態に係る広域管理システム１の構成例を示した図である。
【図２】広域管理装置２１の詳細な機能構成の一例を示すブロック図である。
【図３】センサ情報記憶部６２のデータ構成例を示した図である。
【図４】建物管理装置３１の機能構成の一例を示すブロック図である。
【図５】センサ情報の記憶処理の例を示したシーケンス図である。
【図６】建物管理装置３１の取得部７４の動作例を示したフローチャートである。
【図７】従来のセンサのデータ取得例を説明する図である。
【図８】図４で説明したデータ取得部によるセンサのデータ取得例を説明する図である。
【図９】広域管理装置２１の機能を実現するハードウェア構成の一例を示す図である。
【図１０】第２の実施の形態に係るセンサ情報記憶部６２のデータ構成例を示した図である。
【図１１】第３の実施の形態に係るセンサ情報記憶部６２のデータ構成例を示した図である。
【図１２】建物管理装置３１の取得部７４の動作例を示したフローチャートである。
【図１３】第４の実施の形態に係るセンサ情報記憶部６２のデータ構成例を示した図である。
【図１４】第５の実施の形態に係るセンサ情報記憶部６２のデータ構成例を示した図である。
【図１５】建物管理装置３１の取得部７４の動作例を示したフローチャートである。
【図１６】第６の実施の形態に係るセンサ情報記憶部６２のデータ構成例を示した図である。
【発明を実施するための形態】
【００２６】
［第１の実施の形態］
図１は、本発明の第１の実施の形態に係る広域管理システム１の構成例を示した図である。図１に示すように、広域管理システム１は、広域管理装置２１と、建物Ｂ１，Ｂ２のそれぞれに設けられた建物管理装置３１，３２と、を備える。広域管理装置２１と、建物管理装置３１，４１のそれぞれは、例えば、インターネット等のネットワーク５１を介して、通信データの送受信が可能である。なお、図１では、建物Ｂ１，Ｂ２は、２つしか示していないが、３以上存在してもよい。この場合も各建物には、建物管理装置が備えられる。なお、複数の建物を一つの建物管理装置で管理する構成にしてもよい。すなわち、建物管理装置と設備機器の構成は様々な形態があってもよい。
【００２７】
広域管理装置２１は、管理者１２から、端末装置１１を介して、建物Ｂ１，Ｂ２のぞれぞれの消費電力を制御する制御指令を受け付ける。広域管理装置２１は、受け付けた制御指令を、管理対象の建物Ｂ１，Ｂ２に設けられている建物管理装置３１，４１へ、ネットワーク５１を介して送信する。
【００２８】
建物管理装置３１は、建物Ｂ１内に設けられているＬＡＮ等のネットワーク３３に接続されている。建物管理装置３１は、ネットワーク３３を介して、建物Ｂ１内に設けられている、複数の設備機器３２のそれぞれと通信データの送受信が可能である。
【００２９】
建物管理装置４１も建物管理装置３１と同様に、建物Ｂ２内に設けられているＬＡＮ等のネットワーク４３に接続されている。建物管理装置４１は、ネットワーク４３を介して、建物Ｂ２内に設けられている、複数の設備機器４２のそれぞれと通信データの送受信が可能である。
【００３０】
建物Ｂ１に設けられている複数の設備機器３２は、例えば、空調機器、照明機器、ボイラ機器、防犯機器、またはサーバやルータなどのＩＴ（Information Technology）機器を監視する監視機器などである。設備機器３２のそれぞれは、センサ３２ａを有しており、センサ３２ａは、例えば、建物Ｂ１内の温度を測定する温度センサ、建物内を流れる電流を測定する電流センサ、または建物Ｂ１内の人を検知する赤外線センサなどである。建物Ｂ２も建物Ｂ１と同様に、センサ４２ａを備えた複数の設備機器４２が設けられている。
【００３１】
なお、図１では、設備機器３２，４２は、それぞれの建物Ｂ１，Ｂ２において４つしか示していないが、１〜３または５以上存在してもよい。
【００３２】
建物管理装置３１は、広域管理装置２１から、ネットワーク５１を介して、イベントプログラムを受信して記憶する。建物管理装置３１は、例えば、ＢＥＭＳ（Building Energy and Environmental Management System）に用いられる機器で構成されてもよい。
【００３３】
イベントプログラムとは、建物Ｂ１，Ｂ２内に設けられている設備機器３２，４２の動作を制御して、それぞれの設備機器の消費電力を制御するためのプログラムである。建物管理装置３１，４１は、広域管理装置２１から、ネットワーク５１を介して、制御指令を受信した場合に、受信した制御指令に対応するイベントプログラムを実行することにより、制御指令に応じて建物Ｂ１，Ｂ２全体の消費電力を制御する。
【００３４】
図２は、広域管理装置２１の機能構成の一例を示すブロック図である。図２に示すように、広域管理装置２１は、通信部６１と、センサ情報記憶部６２と、データ記憶部６３と、通信部６４と、を有している。
【００３５】
通信部６１は、送信部６１ａと、受信部６１ｂと、を備え、端末装置１１と通信を行う。受信部６１ｂは、例えば、端末装置１１が管理者１２から受付けたセンサ情報を、端末装置１１から受信する。送信部６１ａは、端末装置１１からの要求に応じて、センサ情報記憶部６２に記憶されている情報およびデータ記憶部６３に記憶されている情報を端末装置１１に送信する。端末装置１１は、例えば、送信部６１ａから送信されたデータを、ディスプレイに表示することができる。
【００３６】
センサ情報記憶部６２は、所定の属性に基づいてグループ化された、建物Ｂ１のセンサ３２ａのセンサ情報を記憶している。また、センサ情報記憶部６２は、所定の属性に基づいてグループ化された、建物Ｂ２のセンサ４２ａのセンサ情報を記憶している。すなわち、センサ情報記憶部６２は、建物Ｂ１，Ｂ２ごとの、グループ化されたセンサ３２ａ，４２ａのセンサ情報を記憶している。
【００３７】
図３は、センサ情報記憶部６２のデータ構成例を示した図である。図３には、建物Ｂ１におけるセンサ３２ａのセンサ情報のデータ構成例を示している。図３に示すように、センサ情報記憶部６２には、グループ番号６２ａと、取得インスタンス６２ｂと、動作情報６２ｃとが、センサ情報として記憶される。動作情報６２ｃは、取得頻度６２ｄと、優先度６２ｅとの情報に分かれる。
【００３８】
ここで、図３に示すセンサ情報記憶部６２のセンサ情報は、端末装置１１のディスプレイに表示することができる。例えば、送信部６１ａは、端末装置１１からの指示に応じて、センサ情報記憶部６２に記憶されているセンサ情報を取得し、端末装置１１に送信する。そして、端末装置１１は、送信部６１ａから送信されたセンサ情報をディスプレイに表示する。
【００３９】
管理者１２は、端末装置１１のディスプレイ上で、センサ情報記憶部６２のセンサ情報を「変更」または「追加」することができる。また、管理者１２は、端末装置１１のディスプレイ上で、センサ情報記憶部６２のセンサ情報を「新規作成」することができる。「新規作成、」「変更」、または「追加」されたセンサ情報は、端末装置１１から広域管理装置２１の受信部６１ｂに送信され、センサ情報記憶部６２に記憶される。すなわち、センサ情報記憶部６２に記憶されるセンサ情報は、管理者１２によって入力される。
【００４０】
建物Ｂ１に設けられている複数のセンサ３２ａは、所定の属性に基づいてグループ化される。例えば、センサ３２ａは、センサの種類に基づいてグループ化される。具体的には、温度センサは、温度センサのグループ、電流センサは、電流センサのグループ、赤外線センサは、赤外線のグループとしてグループ化される。または、センサ３２ａは、設置されている場所に基づいてグループ化される。具体的には、センサ３２ａは、設置されている建物Ｂ１，Ｂ２の階や部屋に基づいてグループ化される。
【００４１】
グループ番号６２ａは、グループ化されたセンサ３２ａに付与された一意の識別子である。
【００４２】
取得インスタンス６２ｂは、グループ化されたセンサの識別子を示す。例えば、図３の例の場合、グループ番号「１」のセンサの識別子は、「１０００」、「１００１」、および「１００２」であることが分かる。
【００４３】
動作情報６２ｃの取得頻度６２ｄは、グループ化されたセンサから、データを取得する取得頻度を示している。例えば、図３の例の場合、グループ番号「１」の取得インスタンス（センサ）「１０００」、「１００１」、および「１００２」からは、１分ごとにデータが取得されることが分かる。
【００４４】
また、取得頻度６２ｄに示す「イベント」は、特定の現象が発生したときに、グループ化されたセンサからデータを取得することを示す。例えば、グループ番号「１０」の取得インスタンス「１００００」および「１０００１」は、設備機器３２から所定の情報（イベント）が出力されると、データが取得される。より具体的には、ある設備機器３２に、予め温度の最大値と最小値を設定しておく。ある設備機器３２は、温度が設定された最大値と最小値との範囲を外れると、建物管理装置３１にイベントを送信する。設備機器３２から建物管理装置３１にイベントが送信されたとき、グループ番号「１０」の取得インスタンス「１００００」および「１０００１」は、データが取得される。なお、イベントの発生は、例えば、BACnet規格で決められたChangeOfValueサービスやEventNotificationサービスを用いることによって実現することができる。
【００４５】
動作情報６２ｃの優先度６２ｅは、グループ化されたセンサから、データを取得する優先度を示している。例えば、優先度「低」のグループのセンサのデータと、優先度「高」のグループのセンサのデータとのデータ取得タイミングが重なった場合、優先度「高」のセンサのデータが優先して取得される。図３の例では、優先度は、「低」および「高」の２つしか設定されてないが、３以上設定してもよい。
【００４６】
上記では、建物Ｂ１のセンサ３２ａのセンサ情報のデータ構成例を示したが、建物Ｂ２のセンサ４２ａのセンサ情報も、図３と同様のデータ構成を有する。そして、建物Ｂ２のセンサ情報も、広域管理装置２１のセンサ情報記憶部６２に記憶される。
【００４７】
図２の説明に戻る。データ記憶部６３には、センサ３２ａ，４２ａが取得したデータが記憶される。例えば、データ記憶部６３には、温度データ、電流値データ、または人の検知データ等が記憶される。センサ３２ａ，４２ａが取得したデータは、建物管理装置３１，４１から送信される。なお、上記したように、送信部６１ａは、端末装置１１のからの要求に応じて、データ記憶部６３に記憶されている、センサのデータを端末装置１１に送信する。そして、端末装置１１は、通信部６１から送信されたデータをディスプレイに表示する。これにより、管理者１２は、センサ３２ａ，４２ａが取得したデータをモニタすることができる。
【００４８】
通信部６４は、送信部６４ａと、受信部６４ｂと、を備え、建物管理装置３１，４１と通信を行う。送信部６４ａは、センサ情報記憶部６２に記憶されている建物Ｂ１，Ｂ２のセンサ情報を、建物管理装置３１，４１のそれぞれに送信する。例えば、送信部６４ａは、センサ情報記憶部６２に記憶されている建物Ｂ１のセンサ情報が「新規作成」、「変更」、または「追加」されたとき、センサ情報記憶部６２に記憶されている建物Ｂ１のセンサ情報を、建物Ｂ１の建物管理装置３１に送信する。また、送信部６４ａは、センサ情報記憶部６２に記憶されている建物Ｂ２のセンサ情報が「新規作成」、「変更」、または「追加」されたとき、センサ情報記憶部６２に記憶されている建物Ｂ２のセンサ情報を、建物Ｂ２の建物管理装置４１に送信する。
【００４９】
また、受信部６４ｂは、建物管理装置３１，４１から送信されるセンサ３２ａ，４２ａのデータを受信する。受信部６４ｂは、受信したセンサ３２ａ，４２ａのデータを、データ記憶部６３に記憶する。
【００５０】
図４は、建物管理装置３１の機能構成の一例を示すブロック図である。図４に示すように、建物管理装置３１は、通信部７１と、センサ情報記憶部７２と、データ記憶部７３と、取得部７４と、通信部７５と、を有している。図４の機能は、例えば、広域管理装置２１から配信されたイベントプログラムを、建物管理装置３１が実行することにより実現される。
【００５１】
通信部７１は、送信部７１ａと、受信部７１ｂと、を備え、広域管理装置２１と通信を行う。例えば、受信部７１ｂは、広域管理装置２１から送信される、センサ情報記憶部６２のセンサ情報を受信する。受信したセンサ情報は、センサ情報記憶部７２に記憶される。また、送信部７１ａは、例えば、データ記憶部７３に記憶されている、センサ３２ａが取得したデータを広域管理装置２１へ送信する。
【００５２】
センサ情報記憶部７２には、グループ化された、建物Ｂ１に設置されている複数のセンサ３２ａのセンサ情報が記憶される。上記したように、広域管理装置２１のセンサ情報記憶部６２に記憶されているセンサ情報は、当該建物管理装置３１に送信され、センサ情報記憶部７２に記憶される。従って、センサ情報記憶部７２のデータ構成例は、図３で説明したデータ構成例と同様となり、その説明を省略する。
【００５３】
データ記憶部７３には、取得部７４が取得した、センサ３２ａのデータが記憶される。例えば、データ記憶部７３には、センサ３２ａが取得した温度データ、電流値データ、または人の検知データ等が記憶される。なお、上記したように、データ記憶部７３に記憶されたデータは、広域管理装置２１へ送信される。そして、広域管理装置２１のデータ記憶部６３に記憶される。
【００５４】
取得部７４は、センサ情報記憶部７２に記憶されたセンサ情報に基づいて、グループ化されたセンサ３２ａからデータを取得する。例えば、取得部７４は、センサ情報記憶部７２に記憶されている取得頻度６２ｄの時間になると、対応するグループのセンサ３２ａから、データを取得する。
【００５５】
例えば、取得部７４は、取得頻度６２ｄが「イベント」以外のグループ番号６２ａのそれぞれに対応してタイマを設ける。取得部７４は、グループ番号６２ａに対応して設けたタイマが、グループ番号６２ａに対応する取得頻度６２ｄの時間になると、データ取得部７４ａを起動し、タイマに対応するグループ番号６２ａの取得インスタンス６２ｂ（センサ）から、データを取得する。
【００５６】
より具体的には、取得部７４は、グループ番号「１」に対応したタイマ「Ｔ１」を設け、グループ番号「２」に対応したタイマ「Ｔ２」を設けたとする。取得部７４は、タイマ「Ｔ１」の時間が、グループ番号「１」に対応する取得頻度「１分」になると、データ取得部７４ａを起動する。起動されたデータ取得部７４ａは、センサ情報記憶部６２を参照し、タイマ「Ｔ１」に対応するグループ番号「１」の取得インスタンス「１０００」、「１００１」、および「１００２」から、データを取得する。また、取得部７４は、タイマ「Ｔ２」の時間が、グループ番号「２」に対応する取得頻度「１秒」になると、データ取得部７４ａを起動する。起動されたデータ取得部７４ａは、センサ情報記憶部６２を参照し、タイマ「Ｔ２」に対応するグループ番号「２」の取得インスタンス「２０００」、「２００１」、「２０１０」、および「２０１１」から、データを取得する。
【００５７】
また、取得部７４は、イベントが発生すると、データ取得部７４ａを起動する。起動されたデータ取得部７４ａは、取得頻度６２ｄの「イベント」に対応する「取得インスタンス」を参照し、センサ３２ａからデータを取得する。例えば、図３の例の場合、データ取得部７４ａは、イベントが発生すると、取得インスタンス「１００００」および「１０００１」からデータを取得する。なお、図３の例の場合、イベントは１種類しか示していないが、複数種類のイベントを設けてもよい。この場合、取得頻度６２ｄの「イベント」には、イベントを識別する情報を持たせる。これにより、イベントに応じたセンサ３２ａのデータを取得することができる。
【００５８】
取得部７４は、データ取得部７４ａを起動しているときに、あるタイマの時間が取得頻度の時間になった場合、または、イベントが発生した場合、起動しているデータ取得部７４ａとは別のデータ取得部を起動する。例えば、取得部７４は、タイマ「Ｔ１」によってデータ取得部７４ａを起動しているときに、タイマ「Ｔ２」の時間が取得頻度の時間になった場合、データ取得部７４ａとは別のデータ取得部を起動する。
【００５９】
取得部７４は、データ取得部７４ａによって取得されたセンサのデータを、データ記憶部７３に記憶する。取得部７４は、取得されたデータの種類によっては、データ記憶部７３に記憶する際、データを加工して記憶する。例えば、取得部７４は、ある温度センサから取得した温度データに対しては平均化処理をし、データ記憶部７３に記憶する。
【００６０】
取得部７４は、複数のデータ取得部７４ａを起動し、複数のデータ取得部７４ａが並列してセンサからデータを取得する場合、センサ情報記憶部７２の優先度６２ｅに基づいて、データ取得部７４ａのデータ取得処理を優先する。例えば、２つのデータ取得部が起動され、一方のデータ取得部がデータ取得するセンサのグループの優先度６２ｅは、「低」であったとする。また、他方のデータ取得部がデータ取得するセンサのグループの優先度６２ｅは、「高」であったとする。この場合、取得部７４は、優先度６２ｅが「高」のデータ取得部の処理を優先する。これにより、優先度「高」のグループのセンサのデータは、優先度「低」のグループのセンサのデータより、先にデータ記憶部７３に記憶される。
【００６１】
なお、取得部７４は、同じ優先度６２ｅのデータが、データ取得部によって並列に取得される場合、ランダムにデータ取得部を選択して、処理を優先させる。または、取得部７４は、所定のルールに基づいて、データ取得部の処理を優先させる。例えば、取得部７４は、対応するグループ番号６２ａの大きさに基づいて、データ取得部の処理を優先させる。
【００６２】
通信部７５は、送信部７５ａと、受信部７５ｂとを、備え、設備機器３２と通信を行う。例えば、送信部７５ａは、建物Ｂ１の電力制御のための所定の指示を設備機器３２に対し送信する。また、受信部７５ｂは、設備機器３２が有するセンサ３２ａから、データを受信する。
【００６３】
なお、上記では、建物管理装置３１について説明したが、建物管理装置４１も図４と同様の機能ブロックを有し、その説明を省略する。
【００６４】
図５は、センサ情報の記憶処理の例を示したシーケンス図である。図５に示すシーケンス図は、例えば、管理者１２がセンサ情報を「新規作成」、「変更」、または「追加」するときに実行される。
【００６５】
まず、端末装置１１は、管理者１２から、「新規作成」、「変更」、または「追加」されるセンサ情報を受付ける（ステップＳ１）。例えば、端末装置１１は、管理者１２によって新規作成された、所定の属性に基づいてグループ化されたセンサのセンサ情報を受付ける。または、端末装置１１は、グループ単位で変更されたセンサ情報を、管理者１２から受付ける。例えば、端末装置１１は、グループ単位で、取得頻度６２ｄまたは優先度６２ｅのセンサ情報の変更を受付ける。または、端末装置１１は、管理者１２によって追加された、所定の属性に基づいてグループ化されたセンサのセンサ情報を受付ける。以下では、端末装置１１は、建物Ｂ１，Ｂ２のセンサ３２ａ，４２ａのセンサ情報を、管理者１２から受付けたとする。
【００６６】
次に、端末装置１１は、管理者１２から受付けた建物Ｂ１，Ｂ２のセンサ情報を、広域管理装置２１へ送信する（ステップＳ２）。
【００６７】
次に、広域管理装置２１の受信部６１ｂは、端末装置１１から送信された、建物Ｂ１，Ｂ２のセンサ情報を受信する（ステップＳ３）。
【００６８】
次に、広域管理装置２１の受信部６１ｂは、端末装置１１から受信した、建物Ｂ１，Ｂ２のセンサ情報をセンサ情報記憶部６２に記憶する（ステップＳ４）。
【００６９】
次に、広域管理装置２１の送信部６４ａは、センサ情報記憶部６２に記憶された建物Ｂ１のセンサ情報を、建物管理装置３１に送信する（ステップＳ５）。
【００７０】
次に、広域管理装置２１の送信部６４ａは、センサ情報記憶部６２に記憶された建物Ｂ２のセンサ情報を、建物管理装置４１に送信する（ステップＳ６）。
【００７１】
次に、建物管理装置３１の受信部７１ｂは、広域管理装置２１から送信された、建物Ｂ１のセンサ情報を受信する（ステップＳ７）。
【００７２】
次に、建物管理装置３１の受信部７１ｂは、広域管理装置２１から受信した、建物Ｂ１のセンサ情報をセンサ情報記憶部７２に記憶する（ステップＳ８）。
【００７３】
次に、建物管理装置４１の受信部は、広域管理装置２１から送信された、建物Ｂ２のセンサ情報を受信する（ステップＳ９）。
【００７４】
次に、建物管理装置４１の受信部は、広域管理装置２１から受信した、建物Ｂ２のセンサ情報をセンサ情報記憶部に記憶する（ステップＳ１０）。
【００７５】
以上のシーケンスにより、建物Ｂ１，Ｂ２のそれぞれのセンサ情報は、広域管理装置２１に記憶される。そして、建物Ｂ１のセンサ情報は、建物Ｂ１に設けられている建物管理装置３１に記憶され、建物Ｂ２のセンサ情報は、建物Ｂ２に設けられている建物管理装置４１に記憶される。
【００７６】
上述したシーケンス図の各処理単位は、各装置の処理を理解容易にするために、主な処理内容に応じて分割したものである。処理単位の分割の仕方や名称によって、本願発明が制限されることはない。例えば、ステップＳ５，Ｓ６の処理の順番は、図５の例に限られない。例えば、広域管理装置２１の送信部６４ａは、センサ情報を建物管理装置４１に送信して、建物管理装置３１に送信してもよい。また、ステップＳ７，Ｓ８と、ステップＳ９，Ｓ１０の処理も同様に図５の例に限られない。
【００７７】
図６は、建物管理装置３１の取得部７４の動作例を示したフローチャートである。取得部７４は、センサ情報記憶部７２の取得頻度６２ｄが「イベント」以外のグループ番号６２ａのそれぞれに対応して、タイマを設けているとする。取得部７４は、図８で説明するように、データ取得部７４ａがデータを取得する周期より短い周期で、図６に示すフローチャートの処理を繰り返し実行する。
【００７８】
まず、取得部７４は、センサの各グループが、取得頻度６２ｄの条件を満たすか否か判定する（ステップＳ１１）。例えば、取得部７４は、グループ番号６２ａに対応して設けた各タイマが、グループ番号６２ａに対応する取得頻度６２ｄの時間になったか否か判定する。また、取得部７４は、取得頻度６２ｄのイベントが発生したか否か判定する。取得部７４は、グループ番号６２ａに対応して設けた各タイマが、グループ番号６２ａに対応する取得頻度６２ｄの時間になった場合、または、取得頻度６２ｄのイベントが発生した場合、ステップＳ１２の処理へ移行する。一方、取得部７４は、グループ番号６２ａに対応して設けた各タイマが、グループ番号６２ａに対応する取得頻度６２ｄの時間になっていない場合、および、取得頻度６２ｄのイベントが発生していない場合、処理を終了する。
【００７９】
次に、取得部７４は、取得頻度６２ｄの時間になったタイマに対応するデータ取得部７４ａまたはイベントに対応したデータ取得部７４ａを起動する（ステップＳ１２）。例えば、取得部７４は、グループ番号「１」に対応するタイマが「１分」となった場合、グループ番号「１」に対応するデータ取得部７４ａを起動する。また、取得部７４は、イベントが発生すると、データ取得部７４ａを起動する。
【００８０】
なお、起動されたデータ取得部７４ａは、自分の起動基となったタイマに対応するグループ番号６２ａの取得インスタンス６２ｂ（センサ）から、データを取得する。例えば、上記ステップＳ１の例の場合、自分の起動基となったタイマに対応するグループ番号は「１」であるので、データ取得部７４ａは、取得インスタンス「１０００」、「１００１」、および「１００２」から（図３参照）データを取得する。また、取得部７４は、データ取得部７４ａが、他のタイマによってすでに起動されている場合、別のデータ取得部を起動する。
【００８１】
次に、取得部７４は、複数のデータ取得部７４ａを起動しているか否か判定する（ステップＳ１３）。取得部７４は、複数のデータ取得部７４ａを起動している場合、ステップＳ１４の処理へ移行する。取得部７４は、複数のデータ取得部７４ａを起動していない場合（データ取得部７４ａが１つしか起動されていない場合）、ステップＳ１５の処理へ移行する。
【００８２】
ステップＳ１３において、取得部７４が複数のデータ取得部７４ａを起動していると判定した場合、取得部７４は、優先度６２ｅの高いデータ取得部７４ａの処理を優先する。（ステップＳ１４）。
【００８３】
ステップＳ１３において、取得部７４が複数のデータ取得部７４ａを起動していないと判定した場合、取得部７４は、ステップＳ１２にて起動したデータ取得部７４ａが取得したセンサのデータを取得する（ステップＳ１５）。
【００８４】
このようにして、建物管理装置３１の取得部７４は、グループ化されたセンサ３２ａから、データを取得する。建物管理装置４１の取得部も図６のフローと同様にして、グループ化されたセンサ４２ａからデータを取得する。
【００８５】
上述したフローチャートの各処理単位は、取得部７４の処理を理解容易にするために、主な処理内容に応じて分割したものである。処理単位の分割の仕方や名称によって、本願発明が制限されることはない。取得部７４の処理は、処理内容に応じて、さらに多くの処理単位に分割することもできる。また、１つの処理単位がさらに多くの処理を含むように分割することもできる。
【００８６】
ここで、センサをグループ化しないで、シーケンシャルにセンサからデータを取得する動作を説明する。
【００８７】
図７は、従来のセンサのデータ取得例を説明する図である。従来では、図７の矢印Ａ１１ａに示すように、センサのデータをシーケンシャルに取得している。例えば、１００ｍｓごとに、１つずつセンサからデータを取得している。そのため、図７の矢印Ａ１１ｂに示すように、例えば、温度センサ１０個、電流センサ５個、湿度センサ１０個の計２５個の全センサからデータを取得するのに、２５００ｍｓかかっている。また、同じセンサから再びデータを取得する場合、少なくとも２５００ｍｓ以上かかっている。図７の例の場合、３分ごとにシーケンシャルを実行するので、同じセンサから再びデータを取得するのに３分かかる。
【００８８】
図８は、図４で説明したデータ取得部によるセンサのデータ取得例を説明する図である。図８の矢印Ａ１２ａには、データ取得部７４ａによるグループ番号「１」のデータ取得タイミングが示してある。図８の矢印Ａ１２ｂには、データ取得部７４ａによるグループ番号「２」のデータ取得タイミングが示してある。なお、グループ番号「１」のセンサの取得頻度は、図３の取得頻度６２ｄより「１分」である。グループ番号「２」のセンサの取得頻度は、図３の取得頻度６２ｄより「１秒」である。
【００８９】
矢印Ａ１２ａに示すように、データ取得部７４ａは、一定の周期で、グループ番号「１」のグループ化されたセンサからデータを取得する。図８の例では、１００ｍｓの周期で、３つのセンサからデータを取得する。データ取得部７４ａは、３つのセンサからデータを取得すると、処理を終了する。
【００９０】
上記したように、グループ番号「１」の取得頻度は、「１分」である。従って、データ取得部７４ａは、矢印Ａ１２ａａに示すように、１分後に取得部７４によって再び起動され、１００ｍｓの周期で、３つのセンサからデータを取得する。そして、データ取得部７４ａは、３つのセンサからデータを取得すると、処理を終了する。
【００９１】
また、矢印Ａ１２ｂに示すように、データ取得部７４ａは、一定の周期で、グループ番号「２」のグループ化されたセンサからデータを取得する。図８の例では、１００ｍｓの周期で、４つのセンサからデータを取得する。データ取得部７４ａは、４つのセンサからデータを取得すると、処理を終了する。
【００９２】
上記したように、グループ番号「２」の取得頻度は、「１秒」である。従って、データ取得部７４ａは、矢印Ａ１２ｂａに示すように、１秒後に取得部７４によって再び起動され、１００ｍｓの周期で、４つのセンサからデータを取得する。そして、データ取得部７４ａは、４つのセンサからデータを取得すると、処理を終了する。
【００９３】
このように、データ取得部７４ａは、グループごとにおいてセンサからデータを取得するので、大量のセンサのデータを効率的に取得することができる。例えば、図７で説明した従来の方法では、同じセンサから再びデータを取得するのに時間がかかる。図８に示す本件の場合は、大量のセンサのデータを、従来の方法より短い時間で取得することができる。
【００９４】
なお、グループ番号「１」のデータ取得部７４ａが起動されているときに、グループ番号「２」のセンサのデータを取得するタイミングとなった場合、取得部７４は、グループ番号「１」のデータ取得部７４ａとは別のデータ取得部を起動することになる。また、グループ番号「２」のデータ取得部７４ａが起動されているときに、グループ番号「１」のセンサのデータを取得するタイミングとなった場合、取得部７４は、グループ番号「２」のデータ取得部７４ａとは別のデータ取得部を起動することになる。
【００９５】
また、図６で説明したフローチャートは、データ取得部７４ａがセンサからデータを取得する周期より短い周期で実行される。図８の例の場合、図６で説明したフローチャートは、１００ｍｓより短い周期で実行される。
【００９６】
図９は、広域管理装置２１の機能を実現するハードウェア構成の一例を示す図である。広域管理装置２１は、例えば、図９に示すような、ＣＰＵ（Central Processing Unit）等の演算装置８１と、ＲＡＭ（Random Access Memory）などの主記憶装置８２と、ＨＤＤ（Hard Disk Drive）等の補助記憶装置８３と、有線又は無線により通信ネットワークと接続するための通信インターフェイス（Ｉ／Ｆ）８４と、マウス、キーボード、タッチセンサーやタッチパネルなどの入力装置８５と、液晶ディスプレイなどの表示装置８６と、ＤＶＤ（Digital Versatile Disk）などの持ち運び可能な記憶媒体に対する情報の読み書きを行う読み書き装置８７と、によって実現することができる。
【００９７】
例えば、通信部６１，６４の機能は、補助記憶装置８３などから主記憶装置８２にロードされた所定のプログラムを演算装置８１が実行することで実現される。センサ情報記憶部６２およびデータ記憶部６３は、例えば、演算装置８１が主記憶装置８２または補助記憶装置８３を利用することで実現される。広域管理装置２１と端末装置１１との通信は、例えば、演算装置８１が通信Ｉ／Ｆ８４を利用することで実現される。また、広域管理装置２１と建物管理装置３１，４１との通信は、例えば、演算装置８１が通信Ｉ／Ｆ８４を利用することで実現される。
【００９８】
なお、上記の所定のプログラムは、例えば、読み書き装置８７により読み取られた記憶媒体からインストールされてもよいし、通信Ｉ／Ｆ８４を介してネットワークからインストールされてもよい。
【００９９】
また、広域管理装置２１の一部またはすべての機能は、例えば、演算装置、記憶装置、駆動回路などを備えるＡＳＩＣ（Application Specific Integrated Circuit）を備えるコントローラー基板等により実現してもよい。
【０１００】
上述した広域管理装置２１の機能構成は、広域管理装置２１の構成を理解容易にするために、主な処理内容に応じて分類したものである。構成要素の分類の仕方や名称によって、本願発明が制限されることはない。広域管理装置２１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【０１０１】
建物管理装置３１，４１および端末装置１１も、図９と同様のハードウェア構成を有する。ただし、取得部７４の機能は、例えば、補助記憶装置８３などから主記憶装置８２にロードされた所定のプログラムを演算装置８１が実行することで実現される。また、建物管理装置３１，４１は、BACnet対応の設備機器３２，４２と通信を行う場合、通信Ｉ／Ｆ８４には、BACnet用Ｉ／Ｆを適用することができる。また、建物管理装置３１，４１は、IEEE1888対応の設備機器３２，４２と通信を行う場合、通信Ｉ／Ｆ８４には、IEEE1888用Ｉ／Ｆを適用することができる。また、建物管理装置３１，４１は、センサ付の設備機器３２，４２と通信を行う場合、通信Ｉ／Ｆ８４には、センサ用Ｉ／Ｆを適用することができる。
【０１０２】
このように、広域管理装置２１は、所定の属性に基づいてグループ化されたセンサのセンサ情報を記憶して建物管理装置３１，４１へ送信し、建物管理装置３１，４１は、広域管理装置２１から送信されたセンサ情報を記憶する。そして、建物管理装置３１，４１は、記憶したセンサ情報に基づいて、センサからデータを取得する。これにより、管理者１２は、建物に設置されたセンサのセンサ情報をグループ単位で変更することができ、容易にセンサ情報を変更することができる。
【０１０３】
［第２の実施の形態］
第１の実施の形態では、センサ情報記憶部６２には、グループ番号６２ａと、取得インスタンス６２ｂと、取得頻度６２ｄおよび優先度６２ｅを有する動作情報６２ｃと、が記憶される。第２の実施の形態のセンサ情報記憶部６２では、さらにＢＥＭＳ名が記憶される。
【０１０４】
図１０は、第２の実施の形態に係るセンサ情報記憶部６２のデータ構成例を示した図である。図１０において、図３と同じものには同じ符号を付し、その説明を省略する。
【０１０５】
１つの建物Ｂ１には、ＢＥＭＳ等、複数のビル環境エネルギ管理システムが導入されている場合がある。この場合、センサ情報にビル環境エネルギ管理システムの情報を含めてもよい。例えば、図１０に示すように、センサ情報記憶部６２にＢＥＭＳ名９１の情報を記憶してもよい。
【０１０６】
ＢＥＭＳ名９１には、設備機器３２（センサ３２ａ）に適用されているＢＥＭＳのＢＥＭＳ名が記憶される。例えば、取得インスタンス「１０００」、「１００１」、および「１００２」には、ＢＥＭＳ名「ＢＥＭＳ−Ａ」のＢＥＭＳが適用されているとする。この場合、取得インスタンス「１０００」、「１００１」、および「１００２」に対応するＢＥＭＳ名９１は、「ＢＥＭＳ−Ａ」となる。
【０１０７】
このように、建物Ｂ１に複数のビル環境エネルギ管理システムが導入されている場合、建物管理装置３１のセンサ情報記憶部６２に、ＢＥＭＳ名９１を記憶してもよい。これにより、例えば、異なるＢＥＭＳにおいて、同じ識別子を有するセンサが存在しても、そのセンサを区別してグループ化することができる。例えば、ＢＥＭＳ名「ＢＥＭＳ−Ａ」と「ＢＥＭＳ−Ｂ」とに、識別子「１００００」のセンサが存在しても、それらを区別してグループ化することが可能となる。建物Ｂ２においても同様に、複数のビル環境エネルギ管理システムが導入されている場合、建物管理装置４１のセンサ情報記憶部に、ＢＥＭＳ名を記憶してもよい。
【０１０８】
また、取得部７４は、センサから取得したデータを、ＢＥＭＳに基づいて区別してデータ記憶部７３に記憶してもよい。この場合、端末装置１１では、センサのデータをＢＥＭＳごとにおいてディスプレイに表示することが可能となる。
【０１０９】
なお、第２の実施の形態に係る広域管理装置２１および建物管理装置３１，４１の機能ブロックは、図２および図４と同様となるのでその説明を省略する。また、第２の実施の形態に係るフローチャートは、図６のフローチャートと同様となるが、データ取得部７４ａは、ＢＥＭＳを区別してセンサからデータを取得する。
【０１１０】
また、ＢＥＭＳ名の代わりに、設備機器３２，４２に付与されているデバイスＩＤを記憶するようにしてもよい。デバイスＩＤとは、BACnetネットワーク上に存在するBACnetデバイスを特定するための情報であり、１つのＢＥＭＳで唯一無二に決められる。複数のＢＥＭＳでは、それぞれのＢＥＭＳにおいてデバイスＩＤが同じになることがあるため、ＢＥＭＳ名とデバイスＩＤの両方を記憶するようにしてもよい。以下で説明するＢＥＭＳ名においても、同様である。
【０１１１】
［第３の実施の形態］
第３の実施の形態では、第１の実施の形態のセンサ情報記憶部６２に、「関連グループ番号」および「切り替え動作情報」がさらに記憶される。
【０１１２】
図１１は、第３の実施の形態に係るセンサ情報記憶部６２のデータ構成例を示した図である。図１０において、図３と同じものには同じ符号を付し、その説明を省略する。
【０１１３】
図１１に示すように、センサ情報記憶部６２には、関連グループ番号９２ａと、関連動作情報９２ｂと、が記憶される。
【０１１４】
関連グループ番号９２ａには、対応する取得インスタンス６２ｂでデータを取得する場合で、さらに他のグループの取得インスタンス６２ｂでデータを取得する必要がある場合、他のグループの情報が記憶される。関連動作情報９２ｂには、関連グループ番号９２ａに記憶された他のグループでデータを取得する際の動作情報が記憶される。
【０１１５】
例えば、図１１のグループ番号「１０」に対応する関連グループ番号９２ａには、「１」が記憶されている。また、グループ番号「１０」に対応する関連動作情報９２ｂには、「即時１回」という情報が記憶されている。
【０１１６】
この場合、取得部７４は、イベントが発生すると、グループ番号「１０」の取得インスタンス「１００００」および「１０００１」からデータを取得するとともに、関連グループ番号９２ａに示す「１」より、グループ番号「１」の取得インスタンス「１０００」、「１００１」、および「１００２」から、データを取得する。このとき、取得部７４は、直ちに、グループ番号「１」の取得インスタンス「１０００」、「１００１」、および「１００２」から、「１回」だけデータを取得する。
【０１１７】
このように、関連グループ番号９２ａおよび関連動作情報９２ｂを追加することにより、建物Ｂ１の他の状態も監視することが可能となる。例えば、グループ番号「１０」の取得インスタンスは、温度センサであり、グループ番号「１」の取得インスタンスは、湿度センサであるとする。ある部屋の温度が最大値を超え、イベントが発生すると、図１１の例では、グループ番号「１０」の温度センサから温度データを取得するとともに、グループ番号「１」の湿度センサから湿度データを取得することになる。
【０１１８】
なお、図１１では、取得頻度「イベント」に対して、関連グループ番号９２ａを記憶しているが、「時間」が記憶されている取得頻度６２ｄに対して、関連グループ番号９２ａを記憶してもよい。例えば、グループ番号「１」や「２」の関連グループ番号９２ａに、他のグループを呼び出すグループ番号を記憶してもよい。建物管理装置４１においても同様に、センサ情報記憶部が図１１と同様のデータ構成例を有してもよい。
【０１１９】
第３の実施の形態に係る広域管理装置２１および建物管理装置３１，４１の機能ブロックは、図２および図４と同様になる。ただし、建物管理装置３１，４１の取得部の動作が一部異なる。
【０１２０】
図１２は、建物管理装置３１の取得部７４の動作例を示したフローチャートである。図１２のフローチャートにおいて、図６と同じものには同じステップ符号を付し、その説明を省略する。
【０１２１】
データ取得部７４ａは、ステップＳ１２にて起動された後、起動基となったグループ番号６２ａに対応する関連グループ番号９２ａを参照し、他のグループの呼び出しがあるか否か判定する（ステップＳ２１）。例えば、データ取得部７４ａは、センサ情報記憶部６２の関連グループ番号９２ａに、他のグループ番号が記憶されているか否か判定する。データ取得部７４ａは、他のグループの呼び出しがあると判定した場合、ステップＳ２２の処理へ移行する。データ取得部７４ａは、他のグループの呼び出しがないと判定した場合、ステップＳ１３の処理へ移行する。
【０１２２】
ステップＳ２１において、データ取得部７４ａが他のグループの呼び出しがあると判定した場合、取得部７４は、他のデータ取得部を起動する（ステップＳ２２）。このとき、取得部７４は、センサ情報記憶部６２の関連動作情報９２ｂを参照し、関連動作情報９２ｂに基づいて、他のデータ取得部を起動する。例えば、取得部７４は、関連動作情報９２ｂに「即時１回」という情報が記憶されている場合、直ちに他のデータ取得部を起動し、１回だけセンサからデータを取得するようにする。
【０１２３】
このようにして、建物管理装置３１の取得部７４は、関連する他のグループからもデータを取得することができる。建物管理装置４１の取得部も図１２のフローと同様にして、関連する他のグループからデータを取得することができる。
【０１２４】
なお、上記では、データ取得部７４ａが、起動基となったグループ番号６２ａに対応する関連グループ番号９２ａを参照し、他のグループの呼び出しがあるか否か判定したが、取得部７４が、起動基となったグループ番号６２ａに対応する関連グループ番号９２ａを参照し、他のグループの呼び出しがあるか否か判定してもよい。
【０１２５】
［第４の実施の形態］
第４の実施の形態では、第３の実施の形態のセンサ情報記憶部６２に、さらにＢＥＭＳ名が記憶される。
【０１２６】
図１３は、第４の実施の形態に係るセンサ情報記憶部６２のデータ構成例を示した図である。図１３において、図１１と同じものには同じ符号を付し、その説明を省略する。
【０１２７】
１つの建物Ｂ１には、ＢＥＭＳ等、複数のビル環境エネルギ管理システムが導入されている場合がある。この場合、センサ情報にビル環境エネルギ管理システムの情報を含めてもよい。例えば、図１３に示すように、センサ情報記憶部６２にＢＥＭＳ名９３の情報を記憶してもよい。
【０１２８】
ＢＥＭＳ名９３には、設備機器３２（センサ３２ａ）に適用されているＢＥＭＳのＢＥＭＳ名が記憶される。例えば、取得インスタンス「１０００」、「１００１」、および「１００２」には、ＢＥＭＳ名「ＢＥＭＳ−Ａ」のＢＥＭＳが適用されているとする。この場合、取得インスタンス「１０００」、「１００１」、および「１００２」に対応するＢＥＭＳ名９１は、「ＢＥＭＳ−Ａ」となる。
【０１２９】
このように、建物Ｂ１に複数のビル環境エネルギ管理システムが導入されている場合、建物管理装置３１のセンサ情報記憶部６２に、ＢＥＭＳ名９３を記憶してもよい。これにより、例えば、異なるＢＥＭＳにおいて、同じ識別子を有するセンサが存在しても、そのセンサを区別してグループ化することができる。建物Ｂ２においても同様に、複数のビル環境エネルギ管理システムが導入されている場合、建物管理装置４１のセンサ情報記憶部に、ＢＥＭＳ名を記憶してもよい。
【０１３０】
また、センサ情報記憶部６２にＢＥＭＳ名９３を記憶することにより、他のＢＥＭＳに属するセンサのグループを呼び出すことができる。例えば、図１３において、グループ番号「１０」のＢＥＭＳ名は、「ＢＥＭＳ−Ｂ」のみであるとする。また、取得インスタンスは、「１００」、「１０１」、および「２００」のみであるとする。この場合、「ＢＥＭＳ−Ｂ」から、他の「ＢＥＭＳ−Ａ」のグループ番号「１」を呼び出すことができる。
【０１３１】
なお、第４の実施の形態に係る広域管理装置２１および建物管理装置３１，４１の機能ブロックは、図２および図４と同様となるのでその説明を省略する。また、第４の実施の形態に係るフローチャートは、図１２のフローチャートと同様となるのでその説明を省略する。
【０１３２】
［第５の実施の形態］
第５の実施の形態では、第３の実施の形態のセンサ情報記憶部６２に、さらにセンサ条件の情報が記憶される。
【０１３３】
図１４は、第５の実施の形態に係るセンサ情報記憶部６２のデータ構成例を示した図である。図１４において、図１１と同じものには同じ符号を付し、その説明を省略する。
【０１３４】
図１４に示すように、センサ情報記憶部６２には、センサ条件９４が記憶される。センサ条件９４には、対応する取得インスタンス６２ｂでデータを取得する場合で、さらに他のグループの取得インスタンス６２ｂでデータを取得する必要がある場合、他のグループの取得インスタンス６２ｂでデータを取得するためのセンサの条件が記憶される。例えば、図１４のグループ番号「１０」に対応するセンサ条件９４には、「１００００＝‘ＯＮ’」が記憶されている。これは、他のグループの取得インスタンス６２ｂから、データを取得するには、取得インスタンス「１００００」が「ＯＮ」であることが条件であることを示す。
【０１３５】
例えば、グループ番号「１０」に対応する関連グループ番号９２ａには、「１」が記憶されている。また、グループ番号「１０」に対応する関連動作情報９２ｂには、「即時１回」という情報が記憶されている。この場合、取得部７４は、イベントが発生すると、グループ番号「１０」の取得インスタンス「１００００」および「１０００１」からデータを取得する。そして、取得部７４は、取得インスタンス「１００００」のセンサデータが「ＯＮ」である場合、関連グループ番号９２ａに示す「１」より、グループ番号「１」の取得インスタンス「１０００」、「１００１」、および「１００２」から、データを取得する。このとき、取得部７４は、直ちに、グループ番号「１」の取得インスタンス「１０００」、「１００１」、および「１００２」から、「１回」だけデータを取得する。
【０１３６】
このように、センサ条件９４を追加することにより、センサの条件に応じて、建物Ｂ１の他の状態も監視することが可能となる。
【０１３７】
なお、図１４では、取得頻度「イベント」に対して、センサ条件９４を記憶しているが、「時間」が設定されている取得頻度６２ｄに対して、センサ条件９４を記憶してもよい。例えば、グループ番号「１」や「２」の関連グループ番号９２ａに、センサ条件９４を記憶してもよい。建物管理装置４１においても同様に、センサ情報記憶部が図１４と同様のデータ構成例を有してもよい。
【０１３８】
第５の実施の形態に係る広域管理装置２１および建物管理装置３１，４１の機能ブロックは、図２および図４と同様になる。ただし、建物管理装置３１，４１の取得部の動作が一部異なる。
【０１３９】
図１５は、建物管理装置３１の取得部７４の動作例を示したフローチャートである。図１５のフローチャートにおいて、図１２と同じものには同じステップ符号を付し、その説明を省略する。
【０１４０】
ステップＳ１２にて起動されたデータ取得部７４ａは、起動基となったグループ番号６２ａに対応するセンサ条件９４を参照し、取得したセンサのデータが、センサ情報記憶部６２のセンサ条件９４を満たすか否か判定する（ステップＳ３１）。データ取得部７４ａは、取得したセンサのデータが、センサ情報記憶部６２のセンサ条件９４を満たす場合、ステップＳ２２の処理へ移行する。データ取得部７４ａは、取得したセンサのデータが、センサ情報記憶部６２のセンサ条件９４を満たさない場合、ステップＳ１３の処理へ移行する。
【０１４１】
例えば、イベントが発生したとする。この場合、取得部７４は、ステップＳ１１の判定において「Ｙｅｓ」の判定を行い、ステップＳ１２にてデータ取得部７４ａを起動する。
【０１４２】
ステップＳ１２にて起動されたデータ取得部７４ａは、起動基となったグループ番号６２ａに対応する関連グループ番号９２ａを参照し、他のグループの呼び出しがあるか否か判定する（ステップＳ２１）。図１４の例の場合、取得頻度「イベント」に対応するグループ番号「１０」の関連グループ番号には、「１」が記憶されている。よって、ステップＳ１２にて起動されたデータ取得部７４ａは、他のグループの呼び出しがあると判定する。
【０１４３】
次いで、ステップＳ１２にて起動されたデータ取得部７４ａは、起動基となったグループ番号６２ａに対応するセンサ条件９４を参照し、取得したセンサのデータが、センサ情報記憶部６２のセンサ条件９４を満たすか否か判定する（ステップＳ２３）。ここで、ステップＳ１２にて起動されたデータ取得部７４ａは、センサ「１００００」から「ＯＮ」というデータを取得したとする。この場合、図１４の例より、ステップＳ１２にて起動されたデータ取得部７４ａは、ステップＳ２２の処理へ移行する。そして、取得部７４は、ステップＳ１２にて起動したデータ取得部７４ａとは別のデータ取得部を起動する。一方、ステップＳ１２にて起動されたデータ取得部７４ａは、センサ条件を満たさないと判定した場合、ステップＳ１３の処理へ移行する。すなわち、取得部７４は、ステップＳ１２にて起動されたデータ取得部７４ａとは別のデータ取得部を起動することなく、ステップＳ１３の処理へ移行する。
【０１４４】
このようにして、建物管理装置３１の取得部７４は、センサ条件に応じて、関連する他のグループからもデータを取得することができる。建物管理装置４１の取得部も図１５のフローと同様にして、センサ条件に応じて、関連する他のグループからデータを取得することができる。
【０１４５】
［第６の実施の形態］
第６の実施の形態では、第５の実施の形態のセンサ情報記憶部６２に、さらにＢＥＭＳ名が記憶される。
【０１４６】
図１６は、第６の実施の形態に係るセンサ情報記憶部６２のデータ構成例を示した図である。図１６において、図１４と同じものには同じ符号を付し、その説明を省略する。
【０１４７】
１つの建物Ｂ１には、ＢＥＭＳ等、複数のビル環境エネルギ管理システムが導入されている場合がある。この場合、センサ情報にビル環境エネルギ管理システムの情報を含めてもよい。例えば、図１６に示すように、センサ情報記憶部６２にＢＥＭＳ名９５の情報を記憶してもよい。
【０１４８】
ＢＥＭＳ名９５には、設備機器３２（センサ３２ａ）に適用されているＢＥＭＳのＢＥＭＳ名が記憶される。例えば、取得インスタンス「１０００」、「１００１」、および「１００２」には、ＢＥＭＳ名「ＢＥＭＳ−Ａ」のＢＥＭＳが適用されているとする。この場合、取得インスタンス「１０００」、「１００１」、および「１００２」に対応するＢＥＭＳ名９１は、「ＢＥＭＳ−Ａ」となる。
【０１４９】
このように、建物Ｂ１に複数のビル環境エネルギ管理システムが導入されている場合、建物管理装置３１のセンサ情報記憶部６２に、ＢＥＭＳ名９５を記憶してもよい。これにより、例えば、異なるＢＥＭＳにおいて、同じ識別子を有するセンサが存在しても、そのセンサを区別してグループ化することができる。建物Ｂ２においても同様に、複数のビル環境エネルギ管理システムが導入されている場合、建物管理装置４１のセンサ情報記憶部に、ＢＥＭＳ名を記憶してもよい。
【０１５０】
また、センサ情報記憶部６２にＢＥＭＳ名９５を記憶することにより、他のＢＥＭＳに属するセンサのグループを呼び出すことができる。例えば、図１６において、グループ番号「１０」に対応するセンサ条件を「１００＝‘ＯＮ’」とする。この場合、「ＢＥＭＳ−Ｂ」のセンサ条件から、他の「ＢＥＭＳ−Ａ」のグループ番号「１」を呼び出すことができる。つまり、「ＢＥＭＳ−Ｂ」の取得インスタンス「１００」に対応するセンサから‘ＯＮ’を示すデータを受信したとき、関連グループ番号「１」の取得インスタンス「１０００」、「１００１」、および「１００２」から、「１回」だけデータを取得することができる。このように、図１６に示す構成を用いることで、建物管理装置４１に少なくとも二つ以上のＢＥＭＳが導入されていて、かつ、第１のＢＥＭＳのセンサ条件に基づいて第２のＢＥＭＳから取得するインスタンスを選択することが可能となる。
【０１５１】
なお、第６の実施の形態に係る広域管理装置２１および建物管理装置３１，４１の機能ブロックは、図２および図４と同様となるのでその説明を省略する。また、第６の実施の形態に係るフローチャートは、図１５のフローチャートと同様となるのでその説明を省略する。
【０１５２】
以上、本発明について実施形態を用いて説明したが、本発明の技術的範囲は上記実施形態に記載の範囲には限定されない。上記実施形態に多様な変更または改良を加えることが可能であることが当業者には明らかである。
【０１５３】
例えば、センサ情報記憶部６２の関連動作情報に、呼び出し先のグループの取得頻度や優先度を変更する情報を記憶してもよい。
【０１５４】
また、上記では、取得部７４が、タイマに基づいてデータ取得部７４ａを起動するとしたが、データ取得部７４ａは、グループ番号６２ａに対応して、予め起動されていてもよい。例えば、センサ情報記憶部７２にセンサ情報が記憶されたとき、データ取得部７４ａは、グループ番号６２ａのそれぞれに対応して、起動されてもよい。グループ番号６２ａに対応して起動されたデータ取得部７４ａのそれぞれは、例えば、個々のプログラムに基づいて実現され、並列に処理を行う。
【０１５５】
取得頻度６２ｄが時間となっているデータ取得部７４ａは、例えば、タイマを有している。データ取得部７４ａは、タイマが取得頻度６２ｄの時間になると、対応する取得インスタンス６２ｂからデータを取得する。また、取得頻度６２ｄがイベントとなっているデータ取得部７４ａは、取得頻度６２ｄのイベントが発生すると、対応する取得インスタンス６２ｂからデータを取得する。
【０１５６】
また、イベントの発生によりデータを取得するデータ取得部７４ａは、センサ情報に関連グループ番号９２ａが含まれている場合、関連グループ番号９２ａに対応する他のデータ取得部７４ａにセンサのデータを取得するよう指示を出力する。指示を受けた他のデータ取得部７４ａは、例えば、取得頻度６２ｄの時間外であっても、対応する取得インスタンス６２ｂからデータを取得する。
【０１５７】
また、イベントの発生によりデータを取得するデータ取得部７４ａは、センサ情報にセンサ条件９４と関連グループ番号９２ａとが含まれている場合、センサ条件９４を満たすか否か判定し、センサ条件９４を満たす場合、関連グループ番号９２ａに対応する他のデータ取得部７４ａにセンサのデータを取得するよう指示を出力する。指示を受けた他のデータ取得部７４ａは、例えば、取得頻度６２ｄの時間外であっても、対応する取得インスタンス６２ｂからデータを取得する。
【０１５８】
また、そのような変更または改良を加えた形態も本発明の技術的範囲に含まれ得ることが、特許請求の範囲の記載から明らかである。また、本発明は、広域管理システム１、広域管理装置２１、建物管理装置３１，３１を制御する方法、制御するプログラム、当該プログラムを記憶した記憶媒体として提供することもできる。
【符号の説明】
【０１５９】
１１  端末装置、１２  管理者、２１  広域管理装置、３１，４１  建物管理装置、３３，３４，５１  ネットワーク、３２，４２  設備機器、３２ａ，４２ａ  センサ、６１，６４，７１，７５  通信部、６２，７２  センサ情報記憶部、６３，７３  データ記憶部、７４  取得部、７４ａ  データ取得部、９１，９３，９５  ＢＥＭＳ名、９２ａ  関連グループ番号、９２ｂ  関連動作情報、９４  センサ条件
【図１】
2015119279.tif 000003
【図２】
2015119279.tif 000004
【図３】
2015119279.tif 000005
【図４】
2015119279.tif 000006
【図５】
2015119279.tif 000007
【図６】
2015119279.tif 000008
【図７】
2015119279.tif 000009
【図８】
2015119279.tif 000010
【図９】
2015119279.tif 000011
【図１０】
2015119279.tif 000012
【図１１】
2015119279.tif 000013
【図１２】
2015119279.tif 000014
【図１３】
2015119279.tif 000015
【図１４】
2015119279.tif 000016
【図１５】
2015119279.tif 000017
【図１６】
2015119279.tif 000018